【手続補正書】
【提出日】平成16年1月21日(2004.1.21)
【手続補正１】
【補正対象書類名】特許請求の範囲
【補正対象項目名】全文
【補正方法】変更
【補正の内容】
【特許請求の範囲】
【請求項１】
以下を含む、エレクトロクロミック窓アセンブリ：
第一透明基板であって、該第一透明基板は、その表面に第一導電性被覆を含む；
第二透明基板であって、該第二透明基板は、その表面に第二導電性被覆を含み、該第一透明基板および該第二透明基板は、互いに間隔を開けて配置されて、それらの間でチャンバを規定する；
エレクトロクロミック媒体であって、該エレクトロクロミック媒体は、該チャンバに含まれ、該エレクトロクロミック媒体は、該エレクトロクロミック媒体を通って電位を加えると変わる発光透過率を有する；
複数の第一間隔設備であって、該複数の第一間隔設備は、該第一導電性被覆と接触し、そして該第一導電性被覆に電流を送達できる；  
複数の第二間隔設備であって、該複数の第二間隔設備は、該第二導電性被覆と接触し、そして該第二導電性被覆に電流を送達して、該エレクトロクロミック媒体を通る該電位を確立できる；
複数の第一コネクタであって、該複数の第一コネクタの各々は、該複数の第一間隔設備の対応する少なくとも１つに個別にかつ分かれて接続されて、該複数の第一間隔設備の対応する少なくとも１つに電流を送達する；および
複数の第二コネクタであって、該複数の第二コネクタの各々は、該複数の第二間隔設備の対応する少なくとも１つに個別にかつ分かれて接続されて、該複数の第二間隔設備の対応する少なくとも１つに電流を送達する、
窓アセンブリ。
【請求項２】
前記複数の第一間隔設備および前記複数の第二間隔設備が、バスバーである、請求項１に記載の窓アセンブリ。
【請求項３】
前記複数の第一間隔設備の少なくとも１個および前記複数の第二間隔設備の少なくとも１個が、前記窓アセンブリの周辺に位置付けられる、請求項１に記載の窓アセンブリ。
【請求項４】
前記複数の第一間隔設備および前記複数の第二間隔設備が、前記周辺に配列される、請求項３に記載の窓アセンブリ。
【請求項５】
前記複数の第一間隔設備が、前記周辺に、前記複数の第二間隔設備間で配列されている、請求項４に記載の窓アセンブリ。
【請求項６】
前記第一透明基板および前記第二透明基板が、非対称形状を有する、請求項１に記載の窓アセンブリ。
【請求項７】
前記複数の第一間隔設備が、それらの対向末端で、前記第一導電性被覆と接触し、そして前記第二間隔設備が、それらの対向末端で、前記第二導電性被覆と接触し、該第一導電性被覆の該対向末端および該第二導電性被覆の該対向末端が、互いから間隔を開けて配置されている、請求項１に記載の窓アセンブリ。
【請求項８】
前記第一導電性被覆の前記対向末端の少なくとも１つが、前記窓アセンブリの前記周辺に少なくとも近接している、請求項７に記載の窓アセンブリ。
【請求項９】
前記第一導電性被覆の前記対向末端および前記第二導電性被覆の前記対向末端が、前記窓アセンブリの前記周辺に少なくとも近接している、請求項８に記載の窓アセンブリ。
【請求項１０】
前記複数の第一間隔設備の各々が、同じ大きさであり、そして前記複数の第二間隔設備の各々が、同じ大きさである、請求項１に記載の窓アセンブリ。
【請求項１１】
前記複数の第一間隔設備の少なくとも１個が、前記複数の第一間隔設備の他のものとは異なる長さである、請求項１に記載の窓アセンブリ。
【請求項１２】
前記複数の第一間隔設備および前記複数の第二間隔設備の各々が、少なくとも０．５インチの長さである、請求項１に記載の窓アセンブリ。
【請求項１３】
前記複数の第一間隔設備が、少なくとも０．５インチの間隔を開けて配置され、そして前記複数の第二間隔設備が、少なくとも０．５インチの間隔を開けて配置されている、請求項１に記載の窓アセンブリ。
【請求項１４】
前記複数の第一間隔設備の各々が、前記周辺に、前記複数の第二間隔設備の各々から、少なくとも０．５インチの距離で間隔を開けて配置されている、請求項１１に記載の窓アセンブリ。
【請求項１５】
さらに、抵抗器を含み、該抵抗器が、前記複数の第一間隔設備の少なくとも１つに送達される前記電流を調節するように、位置付けられる、請求項１に記載の窓アセンブリ。
【請求項１６】
さらに、制御装置を含み、該制御装置が、前記複数の第一間隔設備の選択したものおよび前記複数の第二間隔設備の選択したものへの前記電流の送達を制御でき、前記エレクトロクロミック媒体の第一部分を通る前記発光透過率が該エレクトロクロミック媒体の前記第二部分を通る該発光透過率とは異なるようにされる、請求項１に記載の窓アセンブリ。
【請求項１７】
前記制御装置が、前記複数の第一間隔設備の他の選択したものおよび前記複数の第二間隔設備の他の選択したもので、前記電流を短絡できる、請求項１６に記載の窓アセンブリ。
【請求項１８】
前記エレクトロクロミック媒体が、少なくとも１種のアノード性エレクトロクロミック化合物および少なくとも１種のカソード性エレクトロクロミック化合物を含有し、ここで、該エレクトロクロミック媒体に電位を加えると、該アノード性エレクトロクロミック化合物の酸化と該カソード性エレクトロクロミック化合物の還元とが同時に起こり、それにより、該発光透過率を低下させる、請求項１に記載の窓アセンブリ。
【請求項１９】
前記エレクトロクロミック媒体が、自己消去性である、請求項１に記載の窓アセンブリ。
【請求項２０】
前記第一および第二透明基板が、ガラス、重合体材料およびそれらの組合せから選択される、請求項１に記載の窓アセンブリ。
【請求項２１】
前記エレクトロクロミック窓アセンブリが、自動車のフロントガラス、自動車の横窓、自動車のサンルーフ、建築用グレイジングおよび航空機窓から選択される、請求項１に記載の窓アセンブリ。
【請求項２２】
前記第一および前記第二導電性被覆が、１Ω／平方〜１０Ω／平方の範囲のシート抵抗を有する、請求項１に記載の窓アセンブリ。
【請求項２３】
前記第一および前記第二導電性被覆が、５，０００Å〜５０，０００Åの範囲の厚さを有する、請求項１に記載の窓アセンブリ。
【請求項２４】
前記電流が、０．５ボルト〜１．０ボルトの範囲で、前記第一および前記第二導電性被覆に流される、請求項１に記載の窓アセンブリ。
【請求項２５】
前記アセンブリの少なくとも一部の前記発光透過率が、１〜２０％の範囲の最小ＬＴＡから６０〜８０％の範囲の最大ＬＴＡまで変わる、請求項１に記載の窓アセンブリ。
【請求項２６】
エレクトロクロミック窓アセンブリの一部を優先的に着色する方法であって、該方法は、以下の工程：
エレクトロクロミック窓アセンブリを提供する工程であって、該エレクトロクロミック窓アセンブリは、第一および第二間隔透明基板を含み、該第一および第二間隔透明基板は、それらの間でチャンバを規定し、該第一透明基板は、第一導電性被覆を有し、そして該第二透明基板は、第二導電性被覆を有し、該チャンバは、そこに電流を加えると着色して発光透過率を低下させ得るエレクトロクロミック媒体を含有する；
該第一導電性被覆に該電位を与えるために、該第一導電性被覆に複数の第一間隔設備を電気接続する工程；
該第二導電性被覆に該電位を与えるために、該第二導電性被覆に複数の第二間隔設備を電気接続する工程；
該複数の第一間隔設備の選択したものおよび該複数の第二間隔設備の選択したものに電流を流して、該エレクトロクロミック媒体の選択部分を通って該電位を確立し、該選択部分が色を変えその発光透過率を低下させるようにする工程
を包含する、方法。
【請求項２７】
前記第一導電性被覆の対向末端を、前記アセンブリの周辺に少なくとも近接して配置する工程および前記第二導電性被覆の対向末端を、該アセンブリの該周辺に少なくとも近接して配置する工程、該第一導電性被覆の該対向末端に沿って前記複数の第一間隔設備を該第一導電性被覆に電気接続する工程、および該第二導電性被覆の該対向末端に沿って前記複数の第二間隔設備を該第二導電性被覆に電気接続する工程を包含する、請求項２６に記載の方法。
【請求項２８】
前記第一導電性被覆の前記対向末端を、前記アセンブリの前記周辺に沿って、前記第二導電性被覆の前記対向末端から間隔を開けて配置する工程を包含する、請求項２７に記載の方法。
【請求項２９】
さらに、前記複数の第一間隔設備の他の選択したものおよび前記複数の第二間隔設備の他の選択したもので、前記電流を短絡する工程を包含する、請求項２６に記載の方法。
【請求項３０】
さらに、前記複数の第一間隔設備の前記選択したものおよび前記複数の第二間隔設備の前記選択したものに流される前記電流を変えて、前記エレクトロクロミック媒体の前記選択部分に対する発光透過率の低下度を変える工程を包含する、請求項２６に記載の方法。
【請求項３１】
前記エレクトロクロミック窓アセンブリが、自動車のフロントガラスであり、そして前記エレクトロクロミック媒体の前記部分が、遮光バンドである、請求項３０に記載の方法。
【請求項３２】
前記第一導電性被覆を前記アセンブリの周辺に少なくとも近接して配置する工程および前記第二導電性被覆を該アセンブリの該周辺に少なくとも近接して配置する工程、前記全周の周りで前記複数の第一間隔設備を該第一導電性被覆に電気接続する工程、ならびに該全周の周りで前記複数の第二間隔設備を該第二導電性被覆に電気接続する工程を包含する、請求項２６に記載の方法。
【請求項３３】
前記周辺に前記複数の第一間隔設備を少なくとも０．５インチの間隔を開けて配置する工程、該周辺に前記複数の第二間隔設備を少なくとも０．５インチの間隔を開けて配置する工程、および該周辺に該複数の第一間隔設備を該複数の第二間隔設備から少なくとも０．５インチの間隔を開けて配置する工程を包含する、請求項３２に記載の方法。